(57)【要約】      （修正有）【課題】中間転写媒体の転写層の除去領域を正確に除去してから、被転写体上に転写層を転写する。【解決手段】熱転写プリンタは、支持体の一方の面上に受容層を含む転写層が設けられた中間転写媒体１０を供給する供給部７０と、基材の一方の面上にピールオフ層と、染料層又は溶融層とが設けられた熱転写シート２０を供給する第２供給部５１と、熱転写シート２０を加熱し、転写層の除去領域の少なくとも一部に、染料層又は溶融層を転写し、染料層又は溶融層の転写後に、転写層の除去領域を、ピールオフ層によって除去する印画部と、被転写体４０を供給する第３供給部４２と、除去領域が除去された転写層を有する中間転写媒体１０を加熱し、転写層を被転写体４０上に転写する転写部６０と、を備える。【選択図】図１
2017154435.tif 000002
【特許請求の範囲】
【請求項１】
支持体の一方の面上に受容層を含む転写層が設けられた中間転写媒体を供給する第１供給部と、
基材の一方の面上にピールオフ層と、染料層又は溶融層とが設けられた熱転写シートを供給する第２供給部と、
前記熱転写シートを加熱し、前記転写層の除去領域の少なくとも一部に、前記染料層又は溶融層を転写し、前記染料層又は溶融層の転写後に、前記転写層の前記除去領域を、前記ピールオフ層によって除去する印画部と、
被転写体を供給する第３供給部と、
前記除去領域が除去された転写層を有する中間転写媒体を加熱し、前記転写層を前記被転写体上に転写する転写部と、
を備える熱転写プリンタ。
【請求項２】
前記印画部は、前記被転写体に形成する画像と、前記除去領域に応じた除去領域画像とを合成した合成画像データに基づいて前記熱転写シートの前記染料層を加熱することを特徴とする請求項１に記載の熱転写プリンタ。
【請求項３】
前記熱転写シートには染料層及び溶融層が設けられており、
前記印画部は、前記染料層を加熱して前記受容層に画像を形成した後、前記溶融層を加熱して前記転写層の除去領域の少なくとも一部に前記溶融層を転写することを特徴とする請求項１に記載の熱転写プリンタ。
【請求項４】
前記印画部は、前記染料層又は溶融層を、前記転写層の除去領域の全面に転写することを特徴とする請求項１乃至３のいずれかに記載の熱転写プリンタ。
【請求項５】
前記印画部は、前記染料層又は前記溶融層を、前記転写層の除去領域の外周に沿った枠状に転写することを特徴とする請求項１乃至３のいずれかに記載の熱転写プリンタ。
【請求項６】
支持体の一方の面上に受容層を含む転写層が設けられた中間転写媒体、基材の一方の面上にピールオフ層が設けられた熱転写シート、及び被転写体を用い、前記転写層の除去領域を、前記熱転写シートのピールオフ層によって除去する工程と、前記除去領域の除去が行われた転写層を前記被転写体上に転写する工程とを備える熱転写方法であって、
前記基材の前記一方の面上に設けられた染料層又は溶融層を加熱して、前記転写層の除去領域の少なくとも一部に、前記染料層又は溶融層を転写する工程と、
前記染料層又は溶融層の転写後に、前記転写層の前記除去領域を、前記ピールオフ層によって除去する工程と、
前記除去領域の除去が行われた前記転写層を、前記被転写体上に転写する工程と、
を備えることを特徴とする熱転写方法。
【請求項７】
前記転写層の除去領域の少なくとも一部に前記染料層を転写すると共に、前記受容層に画像を形成することを特徴とする請求項６に記載の熱転写方法。
【請求項８】
前記受容層に画像を形成した後、前記転写層の除去領域の少なくとも一部に前記溶融層を転写することを特徴とする請求項６に記載の熱転写方法。
【請求項９】
前記染料層又は前記溶融層を、前記転写層の除去領域の全面に転写することを特徴とする請求項６乃至８のいずれかに記載の熱転写方法。
【請求項１０】
前記染料層又は前記溶融層を、前記転写層の除去領域の外周に沿った枠状に転写することを特徴とする請求項６乃至８のいずれかに記載の熱転写方法。
【発明の詳細な説明】
【技術分野】
【０００１】
本発明は、熱転写プリンタ及び熱転写方法に関する。
【背景技術】
【０００２】
熱転写画像を任意の対象物に形成する方法の１つとして、受容層が基材上に剥離可能に設けられた中間転写媒体を準備し、色材層を有する熱転写シートを用いて、中間転写媒体の受容層に熱転写画像を形成し、その後、この受容層を含む転写層を被転写体上に転写する方法が提案されている。
【０００３】
中間転写媒体を用いて形成される印画物の種類によっては、ＩＣチップ部、磁気ストライプ部、送受信用アンテナ部、署名部等を設ける領域を残存しておくことが必要な場合がある。具体的には、被転写体上に転写層を転写する前に、ＩＣチップ部、磁気ストライプ部、送受信用アンテナ部、署名部等を設ける領域に対応する転写層の一部を除去しておくことが必要とされる場合がある。
【０００４】
転写層の一部を除去する方法として、基材の一方の面にピールオフ層が設けられた熱転写シートを用い、被転写体上に中間転写媒体の転写層を転写する前の段階で、被転写体への転写を所望しない転写層の領域を、ピールオフ層によって取り除く方法が提案されている（例えば特許文献１参照）。
【０００５】
しかし、プリンタの印画速度の高速化に伴い、ピールオフ層によって中間転写媒体の転写層を取り除く工程において、熱転写シートに十分なエネルギーが印加されず、中間転写媒体の転写層を取り除くことが困難になっていた。
【先行技術文献】
【特許文献】
【０００６】
【特許文献１】特開２００３−３２６８６５号公報
【発明の概要】
【発明が解決しようとする課題】
【０００７】
本発明は、上記従来の実状に鑑みてなされたものであり、中間転写媒体の転写層の除去領域を正確に除去してから、被転写体上に転写層を転写する熱転写プリンタ及び熱転写方法を提供することを課題とする。
【課題を解決するための手段】
【０００８】
本発明の一態様による熱転写プリンタは、支持体の一方の面上に受容層を含む転写層が設けられた中間転写媒体を供給する第１供給部と、基材の一方の面上にピールオフ層と、染料層又は溶融層とが設けられた熱転写シートを供給する第２供給部と、前記熱転写シートを加熱し、前記転写層の除去領域の少なくとも一部に、前記染料層又は溶融層を転写し、前記染料層又は溶融層の転写後に、前記転写層の前記除去領域を、前記ピールオフ層によって除去する印画部と、被転写体を供給する第３供給部と、前記除去領域が除去された転写層を有する中間転写媒体を加熱し、前記転写層を前記被転写体上に転写する転写部と、を備えるものである。
【０００９】
本発明の一態様による熱転写プリンタにおいて、前記印画部は、前記被転写体に形成する画像と、前記除去領域に応じた除去領域画像とを合成した合成画像データに基づいて前記熱転写シートの前記染料層を加熱することを特徴とする。
【００１０】
本発明の一態様による熱転写プリンタにおいて、前記熱転写シートには染料層及び溶融層が設けられており、前記印画部は、前記染料層を加熱して前記受容層に画像を形成した後、前記溶融層を加熱して前記転写層の除去領域の少なくとも一部に前記溶融層を転写することを特徴とする。
【００１１】
本発明の一態様による熱転写プリンタにおいて、前記印画部は、前記染料層又は溶融層を、前記転写層の除去領域の全面に転写することを特徴とする。
【００１２】
本発明の一態様による熱転写プリンタにおいて、前記印画部は、前記染料層又は前記溶融層を、前記転写層の除去領域の外周に沿った枠状に転写することを特徴とする。
【００１３】
本発明の一態様による熱転写方法は、支持体の一方の面上に受容層を含む転写層が設けられた中間転写媒体、基材の一方の面上にピールオフ層が設けられた熱転写シート、及び被転写体を用い、前記転写層の除去領域を、前記熱転写シートのピールオフ層によって除去する工程と、前記除去領域の除去が行われた転写層を前記被転写体上に転写する工程とを備える熱転写方法であって、前記基材の前記一方の面上に設けられた染料層又は溶融層を加熱して、前記転写層の除去領域の少なくとも一部に、前記染料層又は溶融層を転写する工程と、前記染料層又は溶融層の転写後に、前記転写層の前記除去領域を、前記ピールオフ層によって除去する工程と、前記除去領域の除去が行われた前記転写層を、前記被転写体上に転写する工程と、を備えるものである。
【００１４】
本発明の一態様による熱転写方法は、前記転写層の除去領域の少なくとも一部に前記染料層を転写すると共に、前記受容層に画像を形成することを特徴とする。
【００１５】
本発明の一態様による熱転写方法は、前記受容層に画像を形成した後、前記転写層の除去領域の少なくとも一部に前記溶融層を転写することを特徴とする。
【００１６】
本発明の一態様による熱転写方法は、前記染料層又は前記溶融層を、前記転写層の除去領域の全面に転写することを特徴とする。
【００１７】
本発明の一態様による熱転写方法は、前記染料層又は前記溶融層を、前記転写層の除去領域の外周に沿った枠状に転写することを特徴とする。
【発明の効果】
【００１８】
本発明によれば、中間転写媒体の転写層の除去領域を正確に除去してから、被転写体上に転写層を転写することができる。
【図面の簡単な説明】
【００１９】
【図１】本発明の第１の実施形態による熱転写プリンタの概略構成図である。
【図２】中間転写媒体の断面図である。
【図３】熱転写シートの平面図である。
【図４】図３のIV-IV線断面図である。
【図５】（ａ）〜（ｄ）は第１の実施形態による熱転写方法を説明する工程断面図である。
【図６】（ａ）（ｂ）は中間転写媒体の平面図である。
【図７】（ａ）（ｂ）は第２の実施形態による熱転写方法を説明する工程断面図である。
【図８】溶融層又は染料層の転写領域の例を示す平面図である。
【図９】転写層の除去領域が除去された中間転写媒体の平面図である。
【図１０】（ａ）（ｂ）は図９のX-X線断面図である。
【発明を実施するための形態】
【００２０】
以下、本発明の実施の形態を図面に基づいて説明する。
【００２１】
［第１の実施形態］
図１は、本発明の第１の実施形態に係る熱転写プリンタの概略構成図である。図１に示すように、熱転写プリンタは、熱転写シート２０を用いて、中間転写媒体１０に設けられた受容層１３（図２参照）に画像を印画すると共に、中間転写媒体１０の転写層１４（図２参照）の一部領域を除去する印画部５０と、一部領域が除去された転写層１４を被転写体４０上に転写する転写部６０とを備える。
【００２２】
まず、熱転写プリンタで使用される中間転写媒体１０について説明する。図２は、中間転写媒体１０の断面図である。中間転写媒体１０は、支持体１１と、支持体１１の一方の面上に設けられた転写層１４とを備えている。転写層１４は、支持体１１上に設けられた剥離層１２と、剥離層１２上に積層された受容層１３とを有する積層構成をなしている。受容層１３は、中間転写媒体１０の最表面に位置し、転写層１４を構成する層のうち支持体１１から最も遠くに位置している。
【００２３】
中間転写媒体１０の受容層１３に染料が熱転写されて画像が形成される。画像形成後、転写層１４の一部の領域が除去される。その後、一部領域が除去された転写層１４が、被転写体４０上に転写される。
【００２４】
（支持体１１）
支持体１１の材料について特に限定はなく、例えば、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルム等を挙げることができる。また、これらの材料を２種以上積層した複合フィルムも使用することができる。支持体１１の厚さは、その強度および耐熱性等が適切になるように材料に応じて適宜選択することができるが、通常は３μｍ以上３０μｍ以下の範囲であり、好ましくは４μｍ以上１５μｍ以下の範囲である。
【００２５】
（受容層１３）
受容層１３の材料について特に限定はなく、中間転写媒体の分野で従来公知の受容層を適宜選択して用いることができる。例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマーもしくはセルロースジアスターゼ等のセルロース系樹脂、ポリカーボネート、アクリル系樹脂等の溶剤系の樹脂を挙げることができる。また、受容層１３は、これらの成分の１種を単独で含有していてもよく、２種以上を含有していてもよい。
【００２６】
また、受容層１３は、上記樹脂成分とともに、離型剤を含有していてもよい。離型剤としては、例えば、ポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、および各種シリコーン樹脂などを挙げることができる。
【００２７】
受容層１３の厚みについて特に限定はないが、一例としては、１μｍ以上１０μｍ以下の範囲である。
【００２８】
（剥離層１２）
剥離層１２は、転写層１４の転写性（剥離性）を向上させるためのものであり、転写層１４を構成する層のうち支持体１１の最も近くに位置している。剥離層１２の成分としては、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等を挙げることができる。また、剥離層１２は、これらの成分の１種を単独で含有していてもよく、２種以上を含有していてもよい。
【００２９】
剥離層１２の厚みについて特に限定はないが、一例としては、０．５μｍ以上５μｍ以下の範囲である。
【００３０】
中間転写媒体１０の構成は、図２に示すものに限定されない。例えば、剥離層１２と受容層１３との間に、保護層（図示略）等の任意の層が設けられていてもよい。また、支持体１１側から、保護層、受容層１３がこの順で積層されてなる転写層１４とすることもできる。また、支持体１１と転写層１４との間に任意の層が設けられていてもよい。また、支持体１１の他方の面上に、背面層（図示略）が設けられていてもよい。
【００３１】
次に、熱転写プリンタで使用される熱転写シート２０について説明する。図３は熱転写シート２０の平面図であり、図４は図３のIV-IV線断面図である。図３、図４に示すように、熱転写シート２０は、基材２１と、基材２１の同一面上に設けられたイエロー（Ｙ）層２２、マゼンタ（Ｍ）層２３、シアン（Ｃ）層２４からなる染料層２５と、ブラック（ＢＫ）の溶融層２６と、ピールオフ層２７とを有する。Ｙ層２２、Ｍ層２３、Ｃ層２４、溶融層２６、ピールオフ層２７は面順次に繰り返し設けられている。
【００３２】
（基材２１）
基材２１について特に限定はなく、例えば、グラシン紙、コンデンサー紙またはパラフィン紙等の薄紙、ポリエチレンテレフタレート、ポリエチレンナフタレート、ポリブチレンテレフタレート、ポリフェニレンサルファイド、ポリエーテルケトンもしくはポリエーテルサルフォン等の耐熱性の高いポリエステル、ポリプロピレン、ポリカーボネート、酢酸セルロース、ポリエチレン誘導体、ポリ塩化ビニル、ポリ塩化ビニリデン、ポリスチレン、ポリアミド、ポリイミド、ポリメチルペンテンまたはアイオノマー等のプラスチックの延伸または未延伸フィルムを挙げることができる。また、これらの材料を２種以上積層した複合フィルムも使用することができる。
【００３３】
基材２１の厚さについて特に限定はないが、一例としては、２μｍ以上１０μｍ以下の範囲である。
【００３４】
（染料層２５）
染料層２５は、色材、及びバインダー樹脂を含有している。色材、バインダー樹脂は、昇華型熱転写シートの分野で従来公知のものを適宜選択して用いることができ、ここでの詳細な説明は省略する。
【００３５】
（ピールオフ層２７）
ピールオフ層２７は、中間転写媒体１０の転写層１４の一部を除去するための層である。なお、本願明細書では、ピールオフ層２７によって最終的に取り除かれる転写層１４の領域のことを「除去領域」と称している。
【００３６】
ピールオフ層２７の成分について特に限定はなく、例えば、従来公知の熱可塑性樹脂などを適宜選択して用いることができる。このような樹脂としては、塩化ビニル樹脂、塩化ビニル−酢酸ビニル共重合体樹脂、アクリル系樹脂、ポリエステル樹脂、ポリアミド樹脂、スチレンアクリル樹脂、スチレン−塩化ビニル−酢酸ビニル共重合体、ブチラール樹脂、エポキシ樹脂、ポリアミド樹脂等を挙げることができる。中でも、塩化ビニル−酢酸ビニル共重合体樹脂、アクリル系樹脂、塩化ビニル−酢酸ビニル共重合体樹脂とアクリル系樹脂との混合樹脂は、ピールオフ性が良好な点で好ましい。ピールオフ層２７は、１種の樹脂を単独で含有していてもよく、２種以上の樹脂を含有していてもよい。
【００３７】
ピールオフ層２７の形成方法について特に限定はなく、上記で例示した樹脂、必要に応じて添加される無機または有機フィラー等の添加剤を加えたピールオフ層用塗工液を調製し、この塗工液をグラビアコート、グラビアリバースコート、ロールコート等の公知の手段により、基材２１上に塗布・乾燥して形成することができる。
【００３８】
ピールオフ層２７の厚みについて特に限定はないが、ピールオフ層２７の膜強度、ピールオフ層２７と接する層や、ピールオフ層２７と中間転写媒体１０との接着性等を考慮すると、０．１μｍ以上４μｍ以下の範囲が好ましく、０．２μｍ以上２μｍ以下の範囲がより好ましい。
【００３９】
（溶融層２６）
溶融層２６は、ピールオフ層２７により、中間転写媒体１０の転写層１４の「除去領域」を除去する前の段階で、転写層１４の「除去領域」上の少なくとも一部に転写される層である。
【００４０】
溶融層２６は、加熱により溶融軟化し、転写層１４上に転写可能であるとの条件を満たす層であればよく、例えば、熱溶融性インキを用いて形成することができる。
【００４１】
このような溶融層２６の成分としては、例えば、紫外線吸収剤共重合樹脂、アクリル系樹脂、エポキシ樹脂、ポリエステル樹脂、ポリカーボネート樹脂、ポリアミド樹脂、エチレン−酢酸ビニル共重合体樹脂、エチレン−アクリル酸エステル共重合体樹脂、ポリエチレン樹脂、ポリスチレン樹脂、ポリプロピレン樹脂、ポリブデン樹脂、石油樹脂、塩化ビニル樹脂、塩化ビニル−酢酸ビニル共重合体、ポリビニルアルコール樹脂、塩化ビニリデン樹脂、メタクリル樹脂、ポリアミド樹脂、フッ素樹脂、ポリビニルフォルマール樹脂、ポリビニルブチラール樹脂、アセチルセルロース樹脂、ニトロセルロース樹脂、ポリ酢酸ビニル樹脂、ポリイソブチレン樹脂、エチルセルロース等の熱溶融性樹脂、マイクロクリスタリンワックス、カルナバワックス、パラフィンワックス等がある。更に、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、ポリエステルワックス、一部変性ワックス、脂肪酸エステル、脂肪酸アミド等、種々のワックス等を挙げることができる。
【００４２】
溶融層２６は、透明性を有する層であってもよく、着色剤等を含有し所定の色味を有する層であってもよい。
【００４３】
溶融層２６の厚みについて特に限定はないが、０．１μｍ以上３０μｍ以下の範囲が好ましく、１μｍ以上２０μｍ以下の範囲がより好ましい。溶融層２６をこの範囲の厚みとすることで、ピールオフ層２７によって、転写層１４の「除去領域」を除去するときのピールオフ性の更なる向上を図ることができる。
【００４４】
熱転写シート２０の構成は、図３、図４に示すものに限定されない。例えば、熱転写シート２０の染料層２５、溶融層２６、ピールオフ層２７が形成されている面とは反対側の面に背面層（図示略）が設けられていてもよく、基材２１と溶融層２６との間に離型層（図示略）が設けられていてもよい。また、基材２１とピールオフ層２７との間に、基材２１とピールオフ層２７との密着性を向上させるためのプライマー層（図示略）が設けられていてもよい。
【００４５】
図１に示すように、熱転写プリンタの供給部７０（第１供給部）には、中間転写媒体１０をリボン状に巻き取った巻取が装填される。供給部７０は、中間転写媒体１０の巻取を回転させ、中間転写媒体１０を長尺帯状で印画部５０及び転写部６０へ順に搬送する。
【００４６】
印画部５０は、サーマルヘッド５３と、サーマルヘッド５３の下方側に設けられた回転駆動自在なプラテンロール５４と、サーマルヘッド５３をプラテンロール５４に対して昇降自在とさせる昇降手段（図示略）を有する。供給部７０から供給された中間転写媒体１０は、サーマルヘッド５３とプラテンロール５４との間を通過するようになっている。
【００４７】
また、印画部５０では、熱転写シート２０が、供給ロール５１（第２供給部）側からガイドロール５５を経由して、サーマルヘッド５３とプラテンロール５４との間を通り、ガイドロール５６を経由して、巻取りロール５２に巻き取られるようになっている。サーマルヘッド５３とプラテンロール５４との間において、熱転写シート２０の染料層２５、溶融層２６、及びピールオフ層２７と、中間転写媒体１０の受容層１３とが対向するようになっている。
【００４８】
サーマルヘッド５３は、熱転写シート２０の基材２１側から染料層２５を加熱し、中間転写媒体１０の受容層１３に染料を移行して、画像８０（図５（ａ）参照）を形成する。
【００４９】
また、サーマルヘッド５３は、熱転写シート２０の基材２１側から溶融層２６を加熱し、除去領域に対応する溶融層２６ａ（図５（ａ）、図６（ａ）参照）を、中間転写媒体１０の転写層１４上に転写する。
【００５０】
さらに、サーマルヘッド５３は、熱転写シート２０の基材２１側からピールオフ層２７を加熱し、転写層１４の除去領域を、先に転写した溶融層２６ａと共に除去する（図５（ｂ）、図６（ｂ）参照）。
【００５１】
このような画像形成工程、溶融層転写工程、及び除去工程を図５（ａ）（ｂ）及び図６（ａ）（ｂ）を用いて説明する。
【００５２】
＜画像形成工程＞
画像形成工程では、まず、中間転写媒体１０と、熱転写シート２０のＹ層２２とが位置合わせされ、サーマルヘッド５３がプラテンロール５４に向けて降下し、熱転写シート２０及び中間転写媒体１０を介してサーマルヘッド５３がプラテンロール５４に当接する。プラテンロール５４が回転駆動して、熱転写シート２０及び中間転写媒体１０が下流側へ送られる。この間、サーマルヘッド５３に送信されてきた画像データに基づいて、サーマルヘッド５３により熱転写シート２０のＹ層２２の領域が選択的に加熱され、熱転写シート２０から受容層１３にイエロー染料が移行する。
【００５３】
イエローの転写後、サーマルヘッド５３が上昇してプラテンロール５４から離れる。次に、中間転写媒体１０と熱転写シート２０のＭ層２３とが位置合わせされる。この場合、中間転写媒体１０は、所定距離だけ上流側へ送られる。そして、イエロー染料を受容層１３に移行する方法と同様にして、Ｍ層２３及びＣ層２４を加熱し、マゼンタ染料及びシアン染料を受容層１３に順次移行して、画像８０（図５（ａ）参照）を形成する。
【００５４】
＜溶融層転写工程＞
画像８０の形成後、サーマルヘッド５３が上昇してプラテンロール５４から離れる。次に、中間転写媒体１０と熱転写シート２０の溶融層２６とが位置合わせされる。サーマルヘッド５３がプラテンロール５４に向けて降下し、熱転写シート２０及び中間転写媒体１０を介してサーマルヘッド５３がプラテンロール５４に当接する。プラテンロール５４が回転駆動して、熱転写シート２０及び中間転写媒体１０が下流側へ送られる。この間、サーマルヘッド５３に送信されてきたデータに基づいて、サーマルヘッド５３により、熱転写シート２０の溶融層２６の領域が選択的に加熱される。これにより、図５（ａ）及び図６（ａ）に示すように、熱転写シート２０から転写層１４（受容層１３）上に溶融層２６ａが転写される。
【００５５】
溶融層２６は、文字の印画にも用いられる。そのため、サーマルヘッド５３に送信されるデータは、印画する文字データに、除去領域を合成した合成パターンのデータである。
【００５６】
溶融層２６ａは、除去領域に対応する転写層１４上の少なくとも一部に転写される。なお、図６（ａ）では画像８０や溶融層２６の転写によって印画される文字の図示を省略している。
【００５７】
＜除去工程＞
溶融層２６ａの転写後、サーマルヘッド５３が上昇してプラテンロール５４から離れる。次に、中間転写媒体１０と熱転写シート２０のピールオフ層２７とが位置合わせされる。サーマルヘッド５３がプラテンロール５４に向けて降下し、熱転写シート２０及び中間転写媒体１０を介してサーマルヘッド５３がプラテンロール５４に当接する。プラテンロール５４が回転駆動して、熱転写シート２０及び中間転写媒体１０が下流側へ送られる。この間、サーマルヘッド５３に送信されてきた除去領域データに基づいて、サーマルヘッド５３が、熱転写シート２０のピールオフ層２７を選択的に加熱する。これにより、図５（ｂ）に示すように、転写層１４の除去領域が、先に転写した溶融層２６ａと共に除去される。
【００５８】
転写層１４の除去領域が除去されることで、図６（ｂ）に示すように、中間転写媒体１０の支持体１１のうち、除去領域に対応する領域１１ａの表面が露出される。
【００５９】
除去領域に対応する転写層１４上の少なくとも一部に、溶融層２６ａを予め転写している。溶融層２６ａとピールオフ層２７とは熱接着し易いため、除去領域上に溶融層２６ａを転写することなくピールオフ層２７によって転写層１４の除去領域を除去する場合と比較して、転写層１４の除去領域を除去するときのピールオフ性を飛躍的に向上させることができる。
【００６０】
図１に示すように、印画部５０において受容層１３に画像８０が形成され、かつ転写層１４の除去領域が除去された中間転写媒体１０は、ガイドロール７２を経由して転写部６０へ搬送される。
【００６１】
転写部６０は、ヒートローラ６１と、ヒートローラ６１の下方に設けられた加圧ロール６２とを備える。転写部６０は、被転写体供給部４２（第３供給部）から供給された被転写体４０へ、中間転写媒体１０の転写層１４を転写する。
【００６２】
被転写体供給部４２は、中間転写媒体１０の搬送に合わせて枚葉状の被転写体４０を１枚ずつ繰り出す繰り出し装置、及び繰り出した被転写体４０を搬送するコンベア装置等を有する。本実施形態では、枚葉状の被転写体４０を用いる場合について説明するが、被転写体は長尺の巻取状のものでもよい。
【００６３】
図５（ｃ）（ｄ）に示すように、転写部６０は、ヒートローラ６１と加圧ロール６２との間で、画像８０が形成された中間転写媒体１０の受容層１３面を被転写体４０へ重ね合わせて加熱する。これにより、除去領域の除去が行われた転写層１４が、被転写体４０に転写され、被転写体４０に画像８０が形成される。
【００６４】
例えば、被転写体４０のＩＣチップ部、磁気ストライプ部、送受信用アンテナ部、署名部等に対応する領域を除去領域として転写層１４から除去しておくことで、被転写体４０に画像を形成すると共に、被転写体４０の所望の領域が転写層１４に覆われないようにすることができる。
【００６５】
画像形成された被転写体４０は、排出部４４へ搬送され、１枚ずつ集積される。被転写体４０へ転写層１４が転写された中間転写媒体１０は、巻取りロール７１に巻き取られる。
【００６６】
このように、本実施形態によれば、ピールオフ層２７とヒートシールし易い溶融層２６ａを、除去領域に対応する転写層１４上に予め転写しておき、ピールオフ層２７により、転写層１４の除去領域を溶融層２６ａと共に除去する。そのため、中間転写媒体１０の転写層１４の除去領域を正確に除去した上で、被転写体４０上に転写層１４を転写することができる。
【００６７】
また、溶融層２６ａの転写は、溶融層２６の熱転写による文字の印画工程の中で行うことが出来るため、スループットの低下を防止し、効率的にピールオフ性を高めることができる。
【００６８】
溶融層２６ａを熱転写する際の印画電圧が低過ぎると、ピールオフ性を向上させる効果が小さくなり得る。一方、溶融層２６ａを熱転写する際の印画電圧が高過ぎると、剥離層１２と支持体１１との接着性が高まり、ピールオフ性が劣化し得る。そのため、例えば印画速度が２ｍｓ／Ｌｉｎｅ（ミリ秒／ライン）、サーマルヘッドの抵抗値が５２００Ω程度の場合、印画電圧を１５Ｖ以上２４Ｖ以下とすることが好ましい。
【００６９】
上記第１の実施形態では、画像形成の後に転写層１４の除去領域の除去を行っていたが、転写層１４の除去領域の除去後に画像形成を行ってもよい。
【００７０】
［第２の実施形態］
上記第１の実施形態では、転写層１４の除去領域に溶融層２６ａを転写してピールオフ層２７との熱接着性を高めていたが、染料が転写された受容層１３とピールオフ層２７との熱接着性が高いことを利用して、転写層１４の除去領域に染料を転写してもよい。
【００７１】
この場合、図７（ａ）に示すように、画像形成工程において、サーマルヘッド５３が、画像データに基づいて熱転写シート２０のＹ層２２、Ｍ層２３、Ｃ層２４を順に加熱し、イエロー染料、マゼンタ染料、シアン染料を受容層１３に移行して、画像８０及び除去領域画像８２を形成する。除去領域画像８２は、除去領域の少なくとも一部に形成される。
【００７２】
ここで、サーマルヘッド５３に送信される画像データは、被転写体４０上に形成する画像８０に、除去領域画像８２を合成した合成画像のデータである。
【００７３】
続いて、図７（ｂ）に示すように、サーマルヘッド５３が、熱転写シート２０のピールオフ層２７を選択的に加熱することにより、転写層１４のうち、受容層１３に除去領域画像８２が形成された部分が除去される。
【００７４】
除去領域画像８２の形成は、画像８０の形成工程の中で行うことが出来るため、スループットの低下を防止し、効率的にピールオフ性を高めることができる。
【００７５】
除去領域画像８２を形成する際の印画電圧が低過ぎると、ピールオフ性を向上させる効果が小さくなり得る。一方、除去領域画像８２を形成する際の印画電圧が高過ぎると、剥離層１２と支持体１１との接着性が高まり、ピールオフ性が劣化し得る。そのため、例えば印画速度が２ｍｓ／Ｌｉｎｅ、サーマルヘッドの抵抗値が５２００Ω程度の場合、印画電圧を１５Ｖ以上２４Ｖ以下とすることが好ましい。
【００７６】
第２の実施形態では、熱転写シート２０から溶融層２６を省略してもよい。
【００７７】
上記第１の実施形態において、溶融層２６ａは、除去領域の少なくとも一部に転写されればよく、除去領域の全面に除去領域と同一サイズで転写してもよいし、除去領域よりもやや小さく転写してもよい。また、図８に示すように、除去領域の外周に沿った枠状に溶融層２６ａを転写してもよい。
【００７８】
同様に、上記第２の実施形態において、除去領域画像８２は、除去領域の少なくとも一部に形成されればよく、除去領域の全面に除去領域と同一サイズで形成してもよいし、除去領域よりもやや小さく形成してもよい。また、図８に示すように、除去領域の外周に沿った枠状に除去領域画像８２を形成してもよい。
【００７９】
溶融層２６ａ・除去領域画像８２は、除去領域よりもやや大きく転写・形成してもよい。この場合、転写層１４の除去領域の除去後、図９、図１０（ａ）（ｂ）に示すように、転写層１４の除去領域の周縁に沿って、枠状の溶融層２６ａ・除去領域画像８２が残存する。例えば、除去領域が被転写体４０の署名部に対応する領域である場合、枠状の溶融層２６ａ・除去領域画像８２が被転写体４０に転写されることで、署名部を目立たせることができる。
【００８０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８１】
１０  中間転写媒体
１１  支持体
１２  剥離層
１３  受容層
１４  転写層
２０  熱転写シート
２１  基材
２２  イエロー層
２３  マゼンタ層
２４  シアン層
２５  染料層
２６、２６ａ  溶融層
２７  ピールオフ層
４０  被転写体
５０  印画部
６０  転写部
８０  画像
８２  除去領域画像
【図１】
2017154435.tif 000003
【図２】
2017154435.tif 000004
【図３】
2017154435.tif 000005
【図４】
2017154435.tif 000006
【図５】
2017154435.tif 000007
【図６】
2017154435.tif 000008
【図７】
2017154435.tif 000009
【図８】
2017154435.tif 000010
【図９】
2017154435.tif 000011
【図１０】
2017154435.tif 000012
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
支持体の一方の面上に転写層が設けられた中間転写媒体を供給する第１供給部と、
基材の一方の面上にピールオフ層と、染料層又は溶融層とが設けられた熱転写シートを供給する第２供給部と、
前記熱転写シートを加熱し、前記転写層の除去領域の少なくとも一部に、前記染料層又は溶融層を転写し、前記染料層又は溶融層の転写後に、前記転写層の前記除去領域を、前記ピールオフ層によって除去する印画部と、
被転写体を供給する第３供給部と、
前記除去領域が除去された転写層を前記被転写体上に転写する転写部と、
を備える熱転写プリンタ。
【請求項２】
前記印画部は、前記被転写体に形成する画像と、前記除去領域に応じた除去領域画像とを合成した合成画像データに基づいて前記熱転写シートの前記染料層を加熱することを特徴とする請求項１に記載の熱転写プリンタ。
【請求項３】
前記熱転写シートには染料層及び溶融層が設けられており、
前記印画部は、前記染料層を加熱して前記転写層に画像を形成した後、前記溶融層を加熱して前記転写層の除去領域の少なくとも一部に前記溶融層を転写することを特徴とする請求項１に記載の熱転写プリンタ。
【請求項４】
前記印画部は、前記染料層又は溶融層を、前記転写層の除去領域の全面に転写することを特徴とする請求項１乃至３のいずれかに記載の熱転写プリンタ。
【請求項５】
前記印画部は、前記染料層又は前記溶融層を、前記転写層の除去領域の外周に沿った枠状に転写することを特徴とする請求項１乃至３のいずれかに記載の熱転写プリンタ。
【請求項６】
支持体の一方の面上に転写層が設けられた中間転写媒体、基材の一方の面上にピールオフ層が設けられた熱転写シート、及び被転写体を用い、前記転写層の除去領域を、前記熱転写シートのピールオフ層によって除去する工程と、前記除去領域の除去が行われた転写層を前記被転写体上に転写する工程とを備える熱転写方法であって、
前記基材の前記一方の面上に設けられた染料層又は溶融層を加熱して、前記転写層の除去領域の少なくとも一部に、前記染料層又は溶融層を転写する工程と、
前記染料層又は溶融層の転写後に、前記転写層の前記除去領域を、前記ピールオフ層によって除去する工程と、
前記除去領域の除去が行われた前記転写層を、前記被転写体上に転写する工程と、
を備えることを特徴とする熱転写方法。
【請求項７】
前記転写層の除去領域の少なくとも一部に前記染料層を転写すると共に、前記転写層に画像を形成することを特徴とする請求項６に記載の熱転写方法。
【請求項８】
前記転写層に画像を形成した後、前記転写層の除去領域の少なくとも一部に前記溶融層を転写することを特徴とする請求項６に記載の熱転写方法。
【請求項９】
前記染料層又は前記溶融層を、前記転写層の除去領域の全面に転写することを特徴とする請求項６乃至８のいずれかに記載の熱転写方法。
【請求項１０】
前記染料層又は前記溶融層を、前記転写層の除去領域の外周に沿った枠状に転写することを特徴とする請求項６乃至８のいずれかに記載の熱転写方法。
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
支持体の一方の面上に転写層が設けられた中間転写媒体を供給する第１供給部と、
基材の一方の面上にピールオフ層と、染料層又は溶融層とが設けられた熱転写シートを供給する第２供給部と、
前記熱転写シートを加熱し、前記転写層の除去領域の少なくとも一部に、前記染料層又は溶融層を転写し、前記染料層又は溶融層の転写後に、前記転写層の前記除去領域を、前記ピールオフ層によって除去する印画部と、
被転写体を供給する第３供給部と、
前記除去領域が除去された転写層を前記被転写体上に転写する転写部と、
を備え、
前記印画部は、前記染料層又は溶融層を、前記転写層の除去領域の全面に転写する熱転写プリンタ。
【請求項２】
支持体の一方の面上に転写層が設けられた中間転写媒体を供給する第１供給部と、
基材の一方の面上にピールオフ層と、染料層又は溶融層とが設けられた熱転写シートを供給する第２供給部と、
前記熱転写シートを加熱し、前記転写層の除去領域の少なくとも一部に、前記染料層又は溶融層を転写し、前記染料層又は溶融層の転写後に、前記転写層の前記除去領域を、前記ピールオフ層によって除去する印画部と、
被転写体を供給する第３供給部と、
前記除去領域が除去された転写層を前記被転写体上に転写する転写部と、
を備え、
前記印画部は、前記染料層又は前記溶融層を、前記転写層の除去領域の外周に沿った枠状に転写する熱転写プリンタ。
【請求項３】
前記印画部は、前記被転写体に形成する画像と、前記除去領域に応じた除去領域画像とを合成した合成画像データに基づいて前記熱転写シートの前記染料層を加熱することを特徴とする請求項１又は２に記載の熱転写プリンタ。
【請求項４】
前記熱転写シートには染料層及び溶融層が設けられており、
前記印画部は、前記染料層を加熱して前記転写層に画像を形成した後、前記溶融層を加熱して前記転写層の除去領域の少なくとも一部に前記溶融層を転写することを特徴とする請求項１又は２に記載の熱転写プリンタ。
【請求項５】
支持体の一方の面上に転写層が設けられた中間転写媒体、基材の一方の面上にピールオフ層が設けられた熱転写シート、及び被転写体を用い、前記転写層の除去領域を、前記熱転写シートのピールオフ層によって除去する工程と、前記除去領域の除去が行われた転写層を前記被転写体上に転写する工程とを備える熱転写方法であって、
前記基材の前記一方の面上に設けられた染料層を加熱して、前記転写層の除去領域の少なくとも一部に、前記染料層を転写する工程と、
前記染料層の転写後に、前記転写層の前記除去領域を、前記ピールオフ層によって除去する工程と、
前記除去領域の除去が行われた前記転写層を、前記被転写体上に転写する工程と、
を備え、
前記転写層の除去領域の少なくとも一部に前記染料層を転写すると共に、前記転写層に画像を形成することを特徴とする熱転写方法。
【請求項６】
前記染料層を、前記転写層の除去領域の全面に転写することを特徴とする請求項５に記載の熱転写方法。
【請求項７】
前記染料層を、前記転写層の除去領域の外周に沿った枠状に転写することを特徴とする請求項５に記載の熱転写方法。
【請求項８】
支持体の一方の面上に転写層が設けられた中間転写媒体、基材の一方の面上にピールオフ層が設けられた熱転写シート、及び被転写体を用い、前記転写層の除去領域を、前記熱転写シートのピールオフ層によって除去する工程と、前記除去領域の除去が行われた転写層を前記被転写体上に転写する工程とを備える熱転写方法であって、
前記基材の前記一方の面上に設けられた染料層又は溶融層を加熱して、前記転写層の除去領域の少なくとも一部に、前記染料層又は溶融層を転写する工程と、
前記染料層又は溶融層の転写後に、前記転写層の前記除去領域を、前記ピールオフ層によって除去する工程と、
前記除去領域の除去が行われた前記転写層を、前記被転写体上に転写する工程と、
を備え、
前記染料層又は前記溶融層を、前記転写層の除去領域の全面に転写することを特徴とする熱転写方法。
【請求項９】
支持体の一方の面上に転写層が設けられた中間転写媒体、基材の一方の面上にピールオフ層が設けられた熱転写シート、及び被転写体を用い、前記転写層の除去領域を、前記熱転写シートのピールオフ層によって除去する工程と、前記除去領域の除去が行われた転写層を前記被転写体上に転写する工程とを備える熱転写方法であって、
前記基材の前記一方の面上に設けられた染料層又は溶融層を加熱して、前記転写層の除去領域の少なくとも一部に、前記染料層又は溶融層を転写する工程と、
前記染料層又は溶融層の転写後に、前記転写層の前記除去領域を、前記ピールオフ層によって除去する工程と、
前記除去領域の除去が行われた前記転写層を、前記被転写体上に転写する工程と、
を備え、
前記染料層又は前記溶融層を、前記転写層の除去領域の外周に沿った枠状に転写することを特徴とする熱転写方法。
【請求項１０】
前記転写層に画像を形成した後、前記転写層の除去領域の少なくとも一部に前記溶融層を転写することを特徴とする請求項８又は９に記載の熱転写方法。